(57)【要約】【課題】保持ポケットからの被包装物の飛び出しを確実に防止することができるターレット型包装機の保持ポケットを提供する。【解決手段】保持ポケット５１は、包材による包装が未完の半包装状態にあるフィルタシガレットの包装体１１８の受け入れを許容する開口端５０を有する直方体形状をなしており、上壁５２、底壁５４、左右の側壁５６，５７及び端壁５８を含み、上壁５２には矩形の上部開口６２が設けられており、上部開口６２には、保持ポケット５１内に向かって凸状に湾曲して設けられた板ばねユニット６４が配設されている。【選択図】図５
2011246126.tif 000002
【特許請求の範囲】
【請求項１】
複数の保持ポケットを有するターレットを備え、前記保持ポケット内に包材による包装が未完の半包装状態にある包装体を押し込んで保持し、この後、ターレットの回転に伴い前記包装体の包装を完成させるターレット型包装機であって、
前記保持ポケット内に押し込まれる際、前記包装体は押込み方向でみて、その後端面のみが開放した半包装状態にあり、
前記包装体の押込み後、前記保持ポケットが前記押込み方向に移動する、
ターレット型包装機の保持ポケットにおいて、
前記半包装状態にある包装体の受け入れを許容する開口端を有した直方体状のポケット本体と、
前記ポケット本体内に前記包装体があるとき、前記包装体を前記ポケット本体の内面に押し付ける押圧力を加える押圧手段と
を備えることを特徴とするターレット型包装機の保持ポケット。
【請求項２】
前記ポケット本体は、
前記ターレットの径方向に離間した上壁及び底壁と、
前記ターレットの回転方向に離間した２つの側壁と
を含み、
前記上壁は、
矩形の上部開口を有しており、
前記押圧手段は、
前記上部開口に配設された板ばねを含み、前記板ばねは前記押込み方向に沿って延び、前記ポケット本体の内部に向かって凸状に湾曲していることを特徴とする請求項１に記載のターレット型包装機の保持ポケット。
【請求項３】
前記板ばねは、前記開口端側とは反対側の基端のみにて前記上壁に固定されていることを特徴とする請求項２に記載のターレット型包装機の保持ポケット。
【請求項４】
前記板ばねは、
前記上壁に載置される先端と、
この先端と前記基端との間の中間部とを更に有し、
この中間部は、前記上部開口を通じて前記ポケット本体内に没入することを特徴とする請求項３に記載のターレット型包装機の保持ポケット。
【請求項５】
前記中間部は、その幅寸法が前記上部開口の幅と同等かそれよりも僅かに狭い幅狭部であることを特徴とする請求項４に記載のターレット型包装機の保持ポケット。
【請求項６】
前記板ばねの没入量を設定する設定手段を更に備えることを特徴とする請求項４又は５に記載のターレット型包装機の保持ポケット。
【発明の詳細な説明】
【技術分野】
【０００１】
本発明は、ターレット型包装機に係わり、より詳しくは、被包装物を確実に保持できるターレット型包装機の保持ポケットに関する。
【背景技術】
【０００２】
フィルタシガレットやシガレット等の煙草商品の束を包装するターレット型包装機としては、例えば、特許文献１に開示されるような煙草パック製造用包装機が提案されている。
【特許文献１】特許第３４３７７５３号公報
【発明の開示】
【発明が解決しようとする課題】
【０００３】
ところで、特許文献１に開示される包装機において、煙草商品のグループ１４のための包材は先ず、中空のマンドレル１８の外周に巻き付けられ、底を有する未完の折込み状態に形成される。この後、煙草商品のグループ１４はマンドレル１８内を通過すべく供給される。このとき、グループ１４は未完の折込み状態にある包材の底に当接することで、この包材を伴って保持ポケット２１に受け渡され、半包装状態の包装体として保持ポケット２１内に保持される。このような受渡しの際、保持ポケット２１は、マンドレル１８側に移動し、煙草のグループ１４を迎えに行く（特許文献１の図３のｈ参照）。そして、半包装状態の包装体を保持した後、マンドレル１８から離れ、元の位置に復帰する。このとき、保持ポケット２１が移動する方向とは反対側に位置する半包装状態の包装体の端は、包材により閉じられておらず、開放端となっていることから、保持ポケット２１の復帰動作や、その他の機械動作に伴う振動等により、斯かる包装体の開放端から煙草商品が飛び出すことがある。
【０００４】
このように、煙草商品が飛び出した状態では、包材に対する残りの折込み動作が不能となる。即ち、この折込み動作のために、保持ポケットを備えたターレットの回転がなされると、飛び出した煙草商品が前記折込み動作のための折込み用ガイド等に接触し、煙草商品が破断したり、また、折込みガイドをも損傷させてしまうことがある。
本発明は、上記の不具合の発生を抑えるためのものであり、その目的とするところは、保持ポケットからの被包装物の飛び出しを確実に防止することができるターレット型包装機の保持ポケットを提供することにある。
【課題を解決するための手段】
【０００５】
上記目的を達成するために、本発明のターレット型包装機の保持ポケットは、複数の保持ポケットを有するターレットを備え、前記保持ポケット内に包材による包装が未完の半包装状態にある包装体を押し込んで保持し、この後、ターレットの回転に伴い前記包装体の包装を完成させるターレット型包装機であって、前記保持ポケット内に押し込まれる際、前記包装体は押込み方向でみて、その後端面のみが開放した半包装状態にあり、前記包装体の押込み後、前記保持ポケットが前記押込み方向に移動する、ターレット型包装機の保持ポケットにおいて、前記半包装状態にある包装体の受け入れを許容する開口端を有した直方体状のポケット本体と、前記ポケット本体内に前記包装体があるとき、前記包装体を前記ポケット本体の内面に押し付ける押圧力を加える押圧手段とを備えることを特徴とするものである（請求項１）。
【０００６】
請求項１のターレット型包装機の保持ポケットによれば、押圧手段により、ポケット本体内に押し込まれた半包装状態にある包装体がポケット本体の内面に押し付けられるので、斯かる包装体は確実に保持ポケット内に保持される。
具体的には、前記ポケット本体は、前記ターレットの径方向に離間した上壁及び底壁と、前記ターレットの回転方向に離間した２つの側壁とを含み、前記上壁は、矩形の上部開口を有しており、前記押圧手段は、前記上部開口に配設された板ばねを含み、前記板ばねは前記押込み方向に沿って延び、前記ポケット本体の内部に向かって凸状に湾曲している構成とすることが好ましい（請求項２）。
【０００７】
請求項２のターレット型包装機の保持ポケットによれば、板ばねがポケット本体の内部に向かって凸状に湾曲して配設されているので、この板ばねによりポケット本体内の包装体に押圧力を加えることができる。
また、前記板ばねは、前記開口端側とは反対側の基端のみにて前記上壁に固定されている構成とすることが好ましい（請求項３）。
【０００８】
具体的には、前記板ばねは、前記上壁に載置される先端と、この先端と前記基端との間の中間部とを更に有し、この中間部は、前記上部開口を通じて前記ポケット本体内に没入する構成とすることが好ましい（請求項４）。
より具体的には、前記中間部は、その幅寸法が前記上部開口の幅と同等かそれよりも僅かに狭い幅狭部である構成とすることが好ましい（請求項５）。
【０００９】
請求項３乃至５のターレット型包装機の保持ポケットによれば、押圧手段としての板ばねは、その基端と先端との間の中間部（幅狭部）がポケット本体の上部開口から没入され、この中間部（幅狭部）にてポケット本体内の包装体に押圧力を加える。
更に、前記板ばねの没入量を設定する設定手段を更に備える構成とすることが好ましい（請求項６）。
【００１０】
請求項６のターレット型包装機の保持ポケットによれば、設定手段により板ばねの没入量を設定することができ、包装体に加わる押圧力を好適な範囲に設定することができる。
【発明の効果】
【００１１】
請求項１乃至請求項６に記載の本発明によれば、保持ポケット内に保持された包装体に押圧手段により押圧力が加えられので、間接的に包装体内の被包装物も押さえられる。そのため、包材の仕上げの折込みの際に被包装物が半包装状態にある包装体から外へ飛び出すことは有効に防止される。よって、不良品の発生が抑えられ、生産効率の向上が図れるとともに、包装機の故障も防止することができる。
【００１２】
また、特に、押圧手段を板ばねとした構成によれば、比較的簡単な構成で被包装物の飛び出しを押さえることができ、包装機全体としての製造コスト削減に寄与する。
【発明を実施するための最良の形態】
【００１３】
以下、本発明に係るターレット型包装機の保持ポケットの実施の形態を、図面を参照して説明する。
図１は、一実施例のターレット型包装機の概略構成を示す。
この包装機２は、フィルタシガレットのソフトパッケージ包装に用いられるものであり、フィルタシガレットのホッパ４と、ホッパ４の下方に配置されたシガレット充填装置６と、シガレット充填装置６から供給されたフィルタシガレットの束を搬送するチェーンコンベア８と、フィルタシガレットの束を内外の包材の折込みにより包装する回転折込みユニット１０と、内外の包材の折込みが完了して得られたフィルタシガレットパッケージを移送する移送ターレット１２と、前記パッケージを乾燥させる乾燥ターレット１５とを備えている。
【００１４】
ホッパ４には、図示しないフィルタアタッチメントから品質検査済みのフィルタシガレットが連続して供給される。供給されたフィルタシガレットは、ホッパ４の出口から吐出され、ホッパ４の下方に位置するシガレット充填装置６に供給される。
シガレット充填装置６は、ホッパ４の出口から供給されたフィルタシガレットを２０本を一纏めとした３段の俵積み状態のフィルタシガレットの束１１６として後段のチェーンコンベア８に向かって突き出す。
【００１５】
チェーンコンベア８は、複数の搬送ポケット２３を備えており、シガレット充填装置６から回転折込みユニット１０に向けて延びている。搬送ポケット２３は、シガレット充填装置６から突き出されたフィルタシガレットの束１１６を受け取り、このフィルタシガレットの束１１６は、搬送ポケット２３とともにチェーンコンベア８により移送され、回転折込みユニット１０に向けて順次搬送される。
【００１６】
回転折込みユニット１０は、内外の包材の仮成形を行う仮成形用ターレット１６と、この仮成形用ターレット１６に同軸にして隣接した封口用ターレット１９とを備え、この封口用ターレット１９は内包材に対する仕上げの折込みを行うものである。
仮成形用ターレット１６は、回転ホイールと、この回転ホイール上において周方向に等間隔を存して配置された複数の中空のマンドレル２４と、各マンドレル２４と組みをなし、そのマンドレル２４に対して挿抜自在に配設されている複数のスライダとを備えている。
【００１７】
マンドレル２４は、図２に示すように、両側に開口端２６，２８を有する中空角筒状の部材である。一方の開口端２６はチェーンコンベア８側に位置付けられ、他方の開口端２８は隣接する封口用ターレット１９側に位置付けられている。そして、スライダ３０は、直方体状のスライダヘッド３２と、このスライダヘッド３２の後面に取り付けられたロッド３４とを備えている。スライダヘッド３２は、マンドレル２４の中空断面と同形状且つ同一サイズの断面形状を有しており、マンドレル２４内に挿通可能となっている。ロッド３４は図示しない駆動装置に連結され、この駆動装置によりマンドレル２４の長手方向に往復移動することで、スライダヘッド３２をマンドレル２４に対して挿抜させることができる。
【００１８】
このマンドレル２４が例えば、図１中のａ位置にあるとき、図２に示すように、スライダヘッド３２は、一方の開口端２６からマンドレル２４内に挿入されていき、図２中鎖線で示すように他方の開口端２８の部分に位置決めされる。つまり、他方の開口端２８はスライダヘッド３２により閉塞され、この結果、マンドレル２４の他方の開口端２８は一時的な閉塞端として形成される。この状態でマンドレル２４は回転ホイールの回転に伴い、回転ホイールの周方向に移動する。
【００１９】
この仮成形用ターレット１６の外周には、マンドレルに対して、内包材を供給する内包材供給装置２０と、仮成形用ターレット１６の回転方向でみて内包材供給装置２０よりも後段に配置され、マンドレルに対して外包材を供給する外包材供給装置２２とが配設されている。
内包材供給装置２０は、図１中のｂ位置に配設されており、内包材としてのアルミ蒸着シート等の内包材をマンドレル２４に向けて供給する。内包材は、ウェブロールから繰り出される内包材ウェブを所定の長さ毎に切断して得られる。そして、得られた内包材３８は、仮成形用ターレット１６の回転に伴い、図３に示すように、マンドレル２４の外周に巻付けられ、マンドレル２４の他方の開口端２８から突出した角筒状に成形され、そして、その両端部はマンドレル２４の側壁３６にて互いに重ね合わされる。更に、マンドレル２４の開口端２８から突出した内包材３８の一方の突出部が折込まれ、ここでの折込みは角筒状をなす内包材３８の底を形成し、この底は左右の耳と、これら耳上に順次重ね合わされる上下のフラップ４０，４２から成る。ここで、マンドレル２４の開口端２８はスライダヘッド３２により閉塞された状態にあるので、上述の耳、上下のフラップ４０，４２の折込みは容易に行うことができる。
【００２０】
外包材供給装置２２は、図１中のｃ位置に配設されており、紙シート等の外包材をマンドレル２４に向けて供給する。外包材は、ウェブロールから繰り出される外包材のウェブを所定の長さ毎に切断して得られる。そして、図４に示すように、得られた外包材４４は、仮成形用ターレット１６の回転に伴い、内包材３８が既に巻き付けられているマンドレル２４の外周に巻き付けられる。
【００２１】
外包材４４の巻き付けは内包材３８の場合と同様にして行われ、また、外包材４４にも底が形成され、この底は内包材３８の底と重ね合わされる。ここで、外包材４４が内包材３８と相違する点は、外包材４４の場合、互いに重ね合わされた両端や、底を形成する上下のフラップが糊付けされていることにある。
このようにして、マンドレル２４は、その周囲に内包材及び外包材が外嵌された状態となる。この後、スライダ３０はマンドレル２４内から一旦引き抜かれる。
【００２２】
一方、仮成形用ターレット１６に同軸にして隣接する封口用ターレット１９は、回転ホイールと、この回転ホイール上において仮成形用ターレット１６の各マンドレル２４とそれぞれ対応する複数の保持ポケット５１とを備えている。
保持ポケット５１は、図５に示すように直方体形状をなし、矩形状の開口端５０を有する。より詳しくは、保持ポケット５１は、上壁５２、底壁５４、左右の側壁５６，５７及び端壁５８を有し、この端壁５８が開口端５０と対向している。
【００２３】
上壁５２は、全体として略矩形状をなしており、開口端５０側の縁部には矩形状の切欠凹所６０が設けられている。この切欠凹所６０には、内包材の仕上げの折込みがなされる際、折込みガイド部材等（図示せず）の通過を許容する。ここでの仕上げの折込みとは、前述の底の形成の場合と同様な折込み形態で、内包材３８の他方の突出部を折り込むことを意味し、これにより、閉塞された上端壁、即ち、封口が形成される。
【００２４】
上壁５２に関して更に詳述すれば、上壁５２は矩形の枠体５３及び板ばねユニット６４を含んでいる。枠体５３は上壁５２の中央に、矩形状の上部開口６２を形成し、この上部開口６２に板ばねユニット６４が配設されている。
図６に示されるように、板ばねユニット６４は、上部開口６２から保持ポケット５１内に向かって凸状に湾曲している。具体的には、枠体５３は、端壁５８及び開口端５０に沿う縁の上面が後方斜面６６及び前方斜面６８として形成され、これら斜面６６，６８は上部開口６２に向かって下向きに傾斜し、板ばねユニット６４は、その基端６４ａが後方斜面６６に載置された状態で固定され、その先端６４ｂは前方斜面６８に載置されることで、これら後方斜面６６及び前方斜面６８の傾斜に従い、その上部開口６２に臨む腹部が保持ポケット５１内に向かって凸状に湾曲する。それ故、保持ポケット５１内に後述するように物品が挿入されたとき、この物品に対して、板ばねユニット６４は矢印Ａで示すように、上方より押圧力を付加することができる。なお、参照符号５５は、枠体５３における、後方斜面６６と前方斜面６８との中間に位置付けられた平坦面を表している。
【００２５】
更に詳しくは、図７から明らかなように、板ばねユニット６４は２枚の板ばねを重ね合わせた二重構造をなし、挟持ばね７０とセットばね７２からなっている。
挟持ばね７０は枠体５３の後方斜面６６から前方斜面６８に亘る長さを有し、後方斜面６６に対応する基部を除き、その幅は上部開口６２の幅と同等かそれよりも僅かに狭い。即ち、挟持ばね７０はその基部から先の部位が幅狭部分となっており、これにより、板ばねユニット６４はその挟持ばね７０の幅狭部分が上部開口６２から保持ポケット５１内に没入可能となっている。また、挟持ばね７０の基部にはその一側端にねじ挿通用の貫通孔７４が形成され、その他側端には切欠７６が形成されている。
【００２６】
一方、セットばね７２は、その幅が上部開口６２の幅よりも広い。このため、セットばね７２は、保持ポケット５１内には没入しない。そして、セットばね７２は、その長さが挟持ばね７０よりも短く、挟持ばね７０の基部から幅狭部分の一部に亘って挟持ばね７０とオーバラップするものとなっている。そして、セットばね７２にも挟持ばね７０の貫通孔７４及び切欠７６に対応する位置にそれぞれ貫通孔７８及び切欠８０が形成されている。
【００２７】
このセットばね７２は、挟持ばね７０の幅狭部分が保持ポケット５１内に没入する量、即ち、挟持ばね７０の湾曲量を所定値に設定するために用いられる。つまり、セットばね７２は、挟持ばね７０の基部から幅狭部分の一部に亘る範囲を枠体５３の後方斜面６６に沿うように保持することにより、挟持ばね７０の全体としての湾曲量を所定値に設定する。
【００２８】
挟持ばね７０の湾曲量は、押圧力と比例するので、湾曲量が少なくなると、押圧力も小さくなる。従って、挟持ばね７０の湾曲量が所定値以下となると、必要最小限の押圧力を確保することができなくなるので、必要最小限の押圧力を担保するために、セットばね７２により挟持ばね７０の湾曲量を規制している。
枠体５３に対する挟持ばね７０及びセットばね７２の取り付け方について、以下により詳しく説明する。
【００２９】
先ず、図７から明らかなように、保持ポケット５１は、前述した枠体５３と、左右の側壁、底壁及び端壁を形成する下部フレーム８３とを備え、挟持ばね７０及びセットばね７２は枠体５３に取り付けられる。
枠体５３の後方斜面６６にはその両側部に貫通孔８４をそれぞれ有し、そして、枠体５３の両側面には後方斜面６６に対応した部位に段差部８６がそれぞれ設けられている。挟持ばね７０及びセットばね７２はこれらの基部が後方斜面６６に順次重ね合わされる一方、挟持ばね７０の先端部のみが枠体５３の前方斜面６８に載置され、そして、上方から押さえ部材８８により押さえられる。ここでの押さえ付けは、押さえ部材８８と枠体５３の後方斜面６６との間にて挟持ばね７０及びセットばね７２の基部を挟持することから、これらばね７０，７２の基部は後方斜面６６の傾斜に従って弾性変形し、挟持ばね７０に前述した湾曲形状を付与する。
【００３０】
詳しくは、押さえ部材８８はその両側に上述した段差部８６に合致する脚部９０と、枠体５３の両貫通孔８４にそれぞれに対応する貫通孔９２及びねじ孔９４とを備え、貫通孔９２は挟持ばね７０及びセットばね７２の切欠７６，８０側に配置され、ねじ孔９４は挟持ばね７０及びセットばね７２の貫通孔７４，７８側に配置されている。
押さえ部材８８は、ボルト９６，９８を介して枠体５３に締結されている。ここで、ボルト９６は枠体５３の下方から貫通孔８４，７４，７８を介して押さえ部材８８のねじ孔９４にねじ込まれ、これに対し、ボルト９８は枠体５３の上方から貫通孔９２，切欠８０，７６を介して枠体５３の貫通孔８４を貫通し、そして、前述の下部フレーム８３内にねじ込まれている。即ち、ボルト９８はボルト９６よりも長く、枠体５３を前述の下部フレーム８３に固定する働きもなす。
【００３１】
この点に関して詳述すれば、図７に示すように、枠体５３の両側部５９，６１は、保持ポケット５１の側壁５６，５７の一部をそれぞれ形成し、ボルト９８側の側部６１はその下面に凸条６３を有し、この凸条６３は側部６１の長手方向に延びている。
一方、側部６１とともに側壁５７を形成する下部フレーム８３の側部６７はその上面に溝６９を有しており、この溝６９は側部６７の長手方向に延び、凸条６３を嵌合させる幅を有する。それ故、側部６１はその凸条６３が側部６７の溝６９に嵌合されることで、側部６７と結合され、これにより、側部６１，６７が保持ポケット５１の側壁５７を形成する。
【００３２】
ここで、溝６９の底には２つのねじ孔７１，７１がそれぞれ形成され、これらねじ孔７１の１つに前述したボルト９８がねじ込まれる。なお、他方のねじ孔７１にも枠体５３を貫通してボルト（図示しない）がねじ込まれることで、枠体５３及び下部フレーム８３は２本のボルトにより互いに締結される。
枠体５３の側部５９は、下部フレーム８３の側部６５と協働して保持ポケット５１の側壁５６を形成しているが、これら側部５９と側部６５との間には間隔が確保されている。より詳しくは、この間隔は図５に示すように、開口端５０側の側壁５６の端部に位置した切欠凹所１００と、側壁５６の長手方向に延びるスリット１０２を形成し、これら切欠凹所１００及びスリット１０２は、内包材の前述した仕上げの折込みの際、図示しない折込みガイド部材等の進入を許容する。
【００３３】
なお、端壁５８は、図７に示すように、台形の形状をなし、その中央に貫通孔１０４を有している。この貫通孔１０４には、内包材の仕上げの折込みが完了した包装体、即ち、パッケージを保持ポケット５１内から外へ排出する排出装置のロッド（図示せず。）が挿通され、このロッドの先端には排出ヘッドが装着される。この排出ヘッドは保持ポケット５１内に位置付けられ、保持ポケット５１の可動壁を形成する。
【００３４】
また、端壁５８の両側の斜面１０６には、半円形状の凹溝１０８がそれぞれ設けられており、更に、これら斜面１０６には挟持部材１１２がボルト１１４により取り付けられている。この挟持部材１１２は凹溝１０８と合致する断面三角形状の凹部１１０を有する。各凹溝１０８には図示しない装着ロッドがそれぞれ装着され、これら装着ロッドは対応する側の挟持部材１１２により固定される。装着ロッドは、図示しない駆動装置に連結されており、この駆動装置の働きにより、保持ポケット５１は上述したマンドレル２４に対して進退可能となっている。
【００３５】
次に、前述した仮成形用ターレット１６の回転状態から、その回転が更に進み、仮成形状態の内外の包材を備えたマンドレル２４が図１中のｄ位置に到達した時点で、上述したチェーンコンベア８の１つの搬送ポケットもｄ位置に到達し、このｄ位置にて、搬送ポケットはマンドレル２４の一方の開口端２６の近傍に位置付けられる。一方、このとき、封口用ターレット１９の複数の保持ポケット５１のうち、対応する保持ポケット５１は上述した駆動装置の装着ロッドを介してマンドレル２４の他方の開口端２８の近傍に位置付けられている。即ち、ｄ位置においては、マンドレル２４を挟んで搬送ポケットと保持ポケット５１が互いに近接して同一線上に並ぶ。この状態で、一旦搬送ポケットの後方まで引き抜かれたスライダ３０は搬送ポケットに向けて前進し、図８に示すように、搬送ポケット内のフィルタシガレットの束１１６をマンドレル２４内へ押し込む。スライダ３０が更に前進し、フィルタシガレットの束１１６が仮成形状態の内外の包材の底壁に当接すると、フィルタシガレットの束１１６は内外の包材を伴ってマンドレル２４内を通過する。それ故、図９に示すように、内外の包材内にフィルタシガレットの束１１６が収容されていき、そして、半完成状態のフィルタシガレットの包装体１１８が保持ポケット５１内に押し込められていく。このとき、包装体１１８は、板ばねユニット６４、即ち、挟持ばね７０の押圧力に抗して保持ポケット５１内に進入する。そして、保持ポケット５１の端壁５８の近傍に位置付けられている排出装置の排出ヘッド１２０に包装体１１８が当接し、保持ポケット５１内に包装体１１８が完全に収容された時点で、保持ポケット５１は包装体１１８とともに、マンドレル２４から離れる方向へ後退し、元の位置に戻る。
【００３６】
保持ポケット５1内においては、図６に示すように、挟持ばね７０が包装体１１８に対して矢印Ａ方向に働く押圧力を付加しているので、包装体１１８内の各フィルタシガレットにも押圧力が加わり、各フィルタシガレットは保持ポケット５１内に確実に保持される。このため、保持ポケット５１が元の位置に後退する際やその他の機械動作による振動等の影響により、封口前の包装体１１８からフィルタシガレットが外に飛び出すのを有効に防止できる。
【００３７】
この後、保持ポケット５１内に保持された半完成状態の包装体１１８に対し、封口用ターレット１９の回転ホイールの回転に伴い、前述した仕上げの折込みが行われ、包装体の封口が行われる。
封口が終了した包装体は、排出装置の排出ヘッド１２０により保持ポケット５１から押し出され、図１に示す後段の移送ターレット１２に受け渡される。そして、斯かる包装体は、更にその後段の乾燥ターレット１５に受け渡され、外包材に対して使用した糊の乾燥が行われ、フィルタシガレットの包装体の完成品、即ち、シガレットパッケージとなる。
【００３８】
本発明は上述した一実施例に制約されるものではなく、種々の変形が可能である。例えば、本実施例では、押圧手段として板ばねを用いた保持ポケットについて説明したが、押圧手段としては、コイルばね、ゴム等の弾性体を用いても構わない。また、包装する商品としては、たばこ商品に限定されるものではなく、お菓子などの食品等他の商品であってもよい。
【図面の簡単な説明】
【００３９】
【図１】実施例に係るターレット型包装機の概略構成図である。
【図２】実施例に係るマンドレルを示す斜視図である。
【図３】実施例に係るマンドレルに内包材を巻き付ける状態を示す斜視図である。
【図４】実施例に係るマンドレルに外包材を巻き付ける状態を示す斜視図である。
【図５】実施例に係る保持ポケットを示す斜視図である。
【図６】実施例に係る保持ポケットを示す断面図である。
【図７】実施例に係る保持ポケットの構成を示す分解斜視図である。
【図８】実施例に係るマンドレルにフィルタシガレットの束を押し込んでいる状態を示す斜視図である。
【図９】実施例に係る保持ポケットに内外の包材とともにフィルタシガレットの束を押し込んでいる状態を示す斜視図である。
【符号の説明】
【００４０】
２            包装機
８            チェーンコンベア
１０          回転折込みユニット
１２          移送ターレット
１５          乾燥ターレット
１６          仮成形用ターレット
１９          封口用ターレット
２４          マンドレル
３０          スライダ
３２          スライダヘッド
３４          ロッド
５０          開口端
５１          保持ポケット
５２          上壁
５３          枠体
５４          底壁
５６          側壁
５７          側壁
５８          端壁
６０          切欠凹所
６２          上部開口
６４          板ばねユニット
６６          後方斜面
６８          前方斜面
７０          挟持ばね
７２          セットばね
８３          下部フレーム
【図１】
2011246126.tif 000003
【図２】
2011246126.tif 000004
【図３】
2011246126.tif 000005
【図４】
2011246126.tif 000006
【図５】
2011246126.tif 000007
【図６】
2011246126.tif 000008
【図７】
2011246126.tif 000009
【図８】
2011246126.tif 000010
【図９】
2011246126.tif 000011